(57)【要約】      （修正有）【課題】靴を履いた際の違和感がなく、かつ外観性よくコインを保持することができる靴の中敷きを提供する。【解決手段】靴の中に挿入する靴の中敷き１において、靴の中敷き１の表部材２の表側に凹部を設け、凹部に硬貨３を保持する。凹部の深さ寸法を硬貨３の厚さ寸法と同等またはほぼ同等とする。凹部を足裏の踵部分にあたる位置に設ける。靴の中敷き１を、足裏全体に対応する外形とする。【選択図】図１
0003206016.tif 000002
【実用新案登録請求の範囲】
【請求項１】
靴の中に挿入する靴の中敷き（１，１ａ，１ｂ，１０，２０）において、
前記靴の中敷き（１）の表部材（２，２ａ，２ｂ，１２）の表側に凹部（５，５ａ，５ｂ）が設けられており、
前記凹部（５，５ａ，５ｂ）に硬貨（３）が保持されていることを特徴とする靴の中敷き。
【請求項２】
前記凹部（５，５ａ）の深さ寸法が、前記硬貨（３）の厚さ寸法と同等またはほぼ同等であることを特徴とする請求項１に記載の靴の中敷き。
【請求項３】
前記凹部（５ｂ）の深さ寸法が、前記硬貨（３）の厚さ寸法より大きいことを特徴とする請求項１に記載の靴の中敷き。
【請求項４】
前記凹部（５，５ａ，５ｂ）が、足裏の踵部分にあたる位置に設けられていることを特徴とする請求項１ないし３のいずれかに記載の靴の中敷き。
【請求項５】
前記靴の中敷き（１，１ａ，１ｂ，２０）が、足裏全体に対応する外形を有することを特徴とする請求項１ないし４のいずれかに記載の靴の中敷き。
【請求項６】
前記靴の中敷き（１０）が、足裏全体のうちの踵部分のみに対応する外形を有することを特徴とする請求項１ないし４のいずれかに記載の靴の中敷き。
【考案の詳細な説明】
【技術分野】
【０００１】
本考案は、靴の中敷きに係り、特に、コイン（硬貨）を保持できるようにした靴の中敷きに関する。
【背景技術】
【０００２】
従来から、ジョギング中に手荷物を持ちたくない場合や、旅行中の非常時に役立つように、貴重品を靴の中に保持することが検討されている。
【０００３】
特許文献１には、靴の中敷きの踵部分の素材を開閉可能な二重構造とし、上下の素材の間に紙幣を収納できるようにした構成が開示されている。この靴の中敷きによれば、足の裏と紙幣とが接触することがなく、足の裏に違和感を感じたり紙幣の位置がずれることを防止できる。
【先行技術文献】
【特許文献】
【０００４】
【特許文献１】実開平６−４６５０５号公報
【考案の概要】
【考案が解決しようとする課題】
【０００５】
ところで、欧米で古くから親しまれている童話「マザーグース」には、結婚式で花嫁が身に着けると幸せになれる「サムシング・フォー」の歌詞がある。これは、何か古いもの、何か新しいもの、何か借りたもの、何か青いもの（Something old, something new, something borrowed, something blue）とされ、欧米において結婚式の際に花嫁が身に着ける慣習が現在も続いている。そして、この歌詞の続きに「and a sixpence in her shoe」とあり、イギリスの古い硬貨である６ペンスコインを花嫁の左の靴に入れることが幸せのジンクスとして言い伝えられている。
【０００６】
ここで、特許文献１に記載された靴の中敷きを用いてコインを保持する場合には、上下の素材の間にコインを入れることとなり、靴を履いた際にコインの厚さが違和感を生じさせると共に、靴を脱いでも６ペンスコインを視認できないという課題があった。
【０００７】
本考案の目的は、上記従来技術の課題を解決し、靴を履いた際の違和感がなく、かつ外観性よくコインを保持することができる靴の中敷きを提供することにある。
【課題を解決するための手段】
【０００８】
前記目的を達成するために、本考案は、靴の中に挿入する靴の中敷き（１，１ａ，１ｂ，１０，２０）において、前記靴の中敷き（１，１ａ，１ｂ，１０，２０）の表部材（２，２ａ，２ｂ，１２）の表側に凹部（５，５ａ，５ｂ）が設けられており、前記凹部（５，５ａ，５ｂ）に硬貨（３）が保持されている点に第１の特徴がある。
【０００９】
また、前記凹部（５，５ａ）の深さ寸法が、前記硬貨（３）の厚さ寸法と同等またはほぼ同等である点に第２の特徴がある。
【００１０】
また、前記凹部（５ｂ）の深さ寸法が、前記硬貨（３）の厚さ寸法より大きい点に第３の特徴がある。
【００１１】
また、前記凹部（５，５ａ，５ｂ）が、足裏の踵部分にあたる位置に設けられている点に第４の特徴がある。
【００１２】
また、前記靴の中敷き（１，１ａ，１ｂ，２０）が、足裏全体に対応する外形を有する点に第５の特徴がある。
【００１３】
さらに、前記靴の中敷き（１０）が、足裏全体のうちの踵部分のみに対応する外形を有する点に第６の特徴がある。
【考案の効果】
【００１４】
第１の特徴によれば、前記靴の中敷き（１）の表部材（２，２ａ，２ｂ，１２）の表側に凹部（５，５ａ，５ｂ）が設けられており、前記凹部（５，５ａ，５ｂ）に硬貨（３）が保持されているので、靴の中に硬貨を手軽に保持できると共に、靴を脱いだ際に硬貨を視認することが可能となる。
【００１５】
第２の特徴によれば、前記凹部（５，５ａ）の深さ寸法が、前記硬貨（３）の厚さ寸法と同等またはほぼ同等であるので、靴を履いた際に違和感が生じることを防ぐことができる。
【００１６】
第３の特徴によれば、前記凹部（５ｂ）の深さ寸法が、前記硬貨（３）の厚さ寸法より大きいので、表部材が体重によってへこむスポンジ等である場合でも、へこみ代が設けられていることで、靴を履いた際に違和感が生じることを防ぐことができる。
【００１７】
第４の特徴によれば、前記凹部（５，５ａ，５ｂ）が、足裏の踵部分にあたる位置に設けられているので、靴を脱いだ際に硬貨を視認することができる。
【００１８】
第５の特徴によれば、前記靴の中敷き（１，１ａ，１ｂ，２０）が、足裏全体に対応する外形を有するので、足裏全体に均一に表部材を接触させると共に、中敷きの位置ずれを防ぐことができる。
【００１９】
第６の特徴によれば、前記靴の中敷き（１０）が、足裏全体のうちの踵部分のみに対応する外形を有するので、中敷きの製造コストを下げると共に、硬貨が保持された中敷きを手軽に靴に挿入することが可能となる。
【図面の簡単な説明】
【００２０】
【図１】本考案の一実施形態に係る靴の中敷きの平面図である。
【図２】中敷きの側面図である。
【図３】図１のIII−III線断面図である。
【図４】本考案の第１変形例に係る中敷きの断面図である。
【図５】本考案の第２変形例に係る中敷きの断面図である。
【図６】６ペンスコインの表面および裏面を示す図である。
【図７】本考案の第２実施形態に係る中敷きの平面図である。
【図８】中敷きの側面図である。
【図９】中敷きの底面図である。
【図１０】本考案の第３実施形態に係る中敷きの側面図である。
【図１１】本考案の第３変形例に係る中敷きの平面図である。
【図１２】本考案の第４変形例に係る中敷きの平面図である。
【考案を実施するための形態】
【００２１】
以下、図面を参照して本考案の好ましい実施の形態について詳細に説明する。図１は、本考案の一実施形態に係る靴の中敷き（以下、単に中敷きと示すこともある）１の平面図である。また、図２は中敷き１の側面図である。なお、以下の説明では、６ペンスコイン等の硬貨を保持する左足用のみを示すが、右足用を設けてもよい。
【００２２】
中敷き１は、靴の中に挿入して足裏と直接触れるものであり、その表皮２および裏地４は、皮革、合成皮革、布素材のほか、クッション性を有するウレタンやスポンジ等で形成することができる。表部材２および裏部材４の外形は、花嫁が結婚式で履くウエディングシューズのほか、ハイヒールやパンプス等、婦人靴のタイプに合わせて形成することができる。そして、本実施形態では、足裏の踵部分にあたる位置に、６ペンスコイン等の硬貨３が保持されており、これにより、靴を脱いだ際にも硬貨３を視認することができる。
【００２３】
図３は、図１のIII−III線断面図である。本実施形態では、表部材２に硬貨３と同径またはやや大径の貫通孔を形成し、これにより形成される凹部５に硬貨３を保持している。硬貨３は、凹部５の底部を構成する裏部材４に対して接着材等で固定することができる。また、貫通孔を硬貨３の外径よりやや小さくして、貫通孔の内周面と硬貨３の外周面との間に摩擦力が生じるように構成してもよい。この場合は、接着剤等を用いることなく摩擦により硬貨３を保持することができる。
【００２４】
本実施形態では、表部材２の厚さ寸法を硬貨３の厚さ寸法と同等とすることで、靴を履いた際に硬貨３の存在を感じにくく、硬貨３の厚みによる違和感が生じないように構成されている。
【００２５】
図４は、本考案の第１変形例に係る中敷きの断面図である。本変形例では、中敷きを表部材２ａのみで構成すると共に、表部材２ａの表側に硬貨３を保持する凹部５ａを設け、この凹部５ａに硬貨３を保持するように構成されている。凹部５ａの外径や深さ寸法は、前記した実施形態と同様に任意に設定することができる。
【００２６】
図５は、本考案の第２変形例に係る中敷きの断面図である。本変形例では、中敷きを表部材２ｂのみで構成すると共に、表部材２ｂの表側に、深さ寸法が硬貨３の厚さ寸法より大きい凹部５ｂを設け、この凹部５ｂに硬貨３を保持するように構成されている。この構成によれば、表部材２ｂが体重によってへこむ弾性体等である場合でも、へこみ代が設けられていることで、靴を履いた際に硬貨３の存在を感じにくくすることができる。凹部５ｂの深さは、表部材２ｂの材質や想定体重等に合わせて任意に設定できる。
【００２７】
図６は、６ペンスコインの表面および裏面を示す図である。硬貨３は、イギリスの古い硬貨である６ペンスコインとすることができる。硬貨３を中敷き１に保持する場合、表面３ａまたは裏面３ｂのどちらを上側にしてもよい。
【００２８】
図７は、本考案の第２実施形態に係る中敷き１０の平面図である。また、図８は同側面図であり、図９は同底面図である。本実施形態では、中敷き１０が踵部分のみの短いタイプとされる点に特徴がある。これにより、中敷き１０の製造コストを下げると共に、硬貨３が挿入された中敷きを手軽に靴に挿入することが可能となる。また、表部材１２の裏面側には、傾斜のついた踵部材１４が設けられており、これにより、歩く際に前方または左右にずれることが防止される。
【００２９】
図１０は、本考案の第３実施形態に係る中敷き２０の側面図である。本実施形態では、中敷き２０がつま先から踵までの長いタイプであると共に、踵部材２４が設けられている点に特徴がある。これにより、足裏の前半部にも均一に表部材２２を接触させると共に、踵部材２４により歩く際のずれが防止される。
【００３０】
図１１は、本考案の第３変形例に係る中敷き１ａの平面図である。本変形例では、図１，２で示した第１実施形態において踵部分に保持されていた硬貨３が、土踏まずの部分に保持されている点に特徴がある。これにより、表部材２が弾力性に富む部材であっても、荷重がかかりにくいために硬貨３の存在を感じにくく、かつ靴を脱いだ際に硬貨３を視認することが可能となる。
【００３１】
図１２は、本考案の第４変形例に係る中敷き１ｂの平面図である。本変形例では、図１，２で示した第１実施形態において踵部分に保持されていた硬貨３が、足の親指にあたる位置に保持されている点に特徴がある。これにより、靴を脱いだ際に硬貨３を視認することはできないものの、敏感な足先で常に硬貨３の存在を感じることが可能となる。
【符号の説明】
【００３２】
１，１ａ，１ｂ，１０，２０…中敷き、２，２ａ，２ｂ，１２…表部材、３（３ａ，３ｂ）…硬貨（６ペンスコイン）、４…裏部材、５，５ａ，５ｂ…凹部、１４，２４…踵部材
【図１】
0003206016.tif 000003
【図２】
0003206016.tif 000004
【図３】
0003206016.tif 000005
【図４】
0003206016.tif 000006
【図５】
0003206016.tif 000007
【図６】
0003206016.tif 000008
【図７】
0003206016.tif 000009
【図８】
0003206016.tif 000010
【図９】
0003206016.tif 000011
【図１０】
0003206016.tif 000012
【図１１】
0003206016.tif 000013
【図１２】
0003206016.tif 000014